(57)【要約】【課題】操作感触を向上させたカメラ付きドアホン及びカメラ付きインターホンシステムのカメラ視野角調整構造を提供する。【解決手段】レンズ角度調整レバー３０の変位方向に沿って凹部と凸部とを交互に連続してハウジングカバー３ａの裏面に形成された凹凸部５０に、成形バネ３３の突起３３ａが圧接摺動しており、カメラ１５の視野角を調整するために操作レバー片３１を手指でもってスライド移動させると、成形バネ３３の突起３３ａが凹凸部５０上を圧接摺動して移動し、操作レバー片３１のスライドを停止させたところで突起３３は凹凸部５０のいずれかの凹部に嵌合する。【選択図】　　　　図１
2004056526.tif 000002
【特許請求の範囲】
【請求項１】
カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ハウジングに形成されたガイド孔と、
前記角度調整軸が嵌入するガイド溝が形成され、前記ガイド溝に前記角度調整軸が嵌入した状態で前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えることを特徴とするカメラ付きドアホン及びカメラ付きインターホンシステムのカメラ視野角調整構造。
【請求項２】
カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ホルダーの回動軸に対して略垂直方向を長手方向として前記ハウジングに形成されたガイド孔と、
前記ガイド孔の長手方向に対して斜設したガイド溝が形成され、前記ガイド溝に前記角度調整軸が嵌入した状態で前記ガイド孔に挿通して前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えることを特徴とするカメラ付きドアホン及びカメラ付きインターホンシステムのカメラ視野角調整構造。
【発明の詳細な説明】
【０００１】
【発明の属する技術分野】
本発明は、カメラ付きドアホン及びカメラ付きインターホンシステムのカメラ視野角調整構造に関するものである。
【０００２】
【従来の技術】
近年、各種住宅には、防犯上の対策から、ドアホンシステム、またはインターホンシステムが設置されている。中でも、カメラ付きドアホン、及びカメラ付きインターホンシステムは、入居者等が住戸内に居ながら住戸内に設けられている住宅情報盤のモニターテレビで、玄関先の来訪者の顔を確認できるため、不審者を住戸内に入れる危険が無く、防犯上非常に優れているものである。
【０００３】
ところで、カメラ付きドアホン及びカメラ付きインターホンシステムは、住宅情報盤のモニターテレビに来訪者の顔を映し出すために、カメラ付きドアホン子器を玄関先に設置しているが、このカメラ付きドアホン子器の取付高さや、カメラの視野角を適切に調整する必要があり、近年、カメラの視野角を調整できるようにしたカメラ付きドアホン子器が種々提案されている。
【０００４】
図９（ａ）は、そのような従来のカメラ付きドアホン子器の外観を概略的に示す斜視図（化粧パネルは省略）であり、図９（ｂ）は（ａ）図のＢ部の拡大図であり、図１０は図９（ａ）の分解斜視図であり、また、図１１は、カメラのレンズ角度調整の要部構成を概略的に示す分解斜視図である。従来のカメラ付きドアホン子器１０１は、カメラ付きドアホン子器１０１を動作させる電装品が収容されたハウジング１０３を備えており、ハウジング１０３は、ハウジングカバー１０３ａとハウジングボディ１０３ｂとを組み合わせて固定する構造になっている。ハウジングカバー１０３ａの表面には呼出ボタン１０４と、マイク１０５と、スピーカ１０６と、開口部１１４等が設けられており、開口部１１４内には、カメラ１１５が設けられ、開口部１１４には、カメラ１１５を保護する透明なカメラカバー１０８が設けられている。
【０００５】
そして、ハウジング１０３内には、カメラ１１５と、カメラ１１５を駆動する電装品が実装された回路基板１１６と、回路基板１１６に固定され、カメラ１１５が取り付けられたレンズホルダー１２０と、レンズホルダー１２０の角度を調整するレンズ角度調整レバー１３０とを備えており、カメラ１１５は、開口部１１４を通じて、外部側へ露呈するようになっている。
【０００６】
この従来のカメラ付きドアホン子器１０１は、レンズ角度調整レバー１３０をスライドさせることで、カメラ１１５の視野角を調整することができるもので、以下、従来のカメラ付きドアホン子器のカメラ視野角調整構造について説明する。
【０００７】
レンズ角度調整レバー１３０は、図１１に示すように、ハウジングカバー部１０３ａに設けられたガイド孔１４０内に収容される調整レバー本体部１３５と、調整レバー本体部１３５の一側面から、概ね直角方向に突出するように設けられた台座部１３４、１３４と、調整レバー本体部１３５の一側面から、台座部１３４、１３４とは逆方向に突出するように設けられた操作レバー片１３１と、調整レバー本体部１３５に、台座部１３４、１３４に対して、斜め方向に設けられた長孔１３２とを備える。
【０００８】
そして、操作レバー片１３１は、ハウジングカバー部３ａに設けられているガイド孔１４０内を介してハウジング３外部に臨んでおり、台座部１３４、１３４が、ガイド孔１４０に沿って形成されているスライド部（図示無し）上に載置されており、これにより、レンズ角度調整レバー１３０は、ガイド孔１４０に沿って形成されているスライド部（図示無し）に沿って摺動（スライド）可能な状態になる。
【０００９】
カメラ１１５と回路基板１１６とを固定したレンズホルダー１２０は、両側面に回転軸１２１を形成しており、ハウジングカバー部１０３ａの一方の側面に形成されている回転軸穴１３７に一方の回転軸１２１を嵌め合わせ、ハウジングカバー部１０３ａの他方の側面に形成されている回転軸穴（図示無し）に他方の回転軸１２１を嵌め合わせて、且つ、回転軸１２１の中心から外方の位置（偏心位置）に偏倚して設けられている角度調整軸１２２を、レンズ角度調整レバー１３０に設けられている長孔１３２に嵌め合わせている。
【００１０】
以上により、レンズ角度調整レバー１３０は、ハウジングカバー部１０３ａの一側面に設けられ、ガイド孔１４０に沿って形成されたスライド（図示無し）部上を摺動（スライド）可能なように、ハウジングカバー部１０３ａに取り付けられ、さらにレンズ角度調整レバー１３０の調整レバー本体部１３５に斜め方向に設けられた長孔１３２内に、レンズホルダー１２０の回転軸１２１の一端面に設けられた角度調整軸１２２が嵌入している。
【００１１】
そして、カメラカバー１０８は、図１２に示すように、ハウジングカバー部３ａの一側面（裏面）に設けられたスライド孔１４０に沿ったスライド部（図示無し）に向き合う端部には、長尺な突状体１０８ａが設けられ、突状体１０８ａの表面（下面）には、レンズ角度調整レバー１３０に設けられた嵌合突起１３３が嵌合可能な複数のギザギザ形状の、複数の嵌合凹部列１５０が設けられている。
【００１２】
これにより、カメラカバー１０８を、本体カバー部１０３ａの開口部１１４に嵌め合わせると、図１２に示すように、複数の嵌合凹部列１５０の任意の嵌合凹部に、嵌合突起１３３が嵌合するようになる。
【００１３】
このように、カメラ１１５を固定するレンズホルダー１２０は、レンズ角度調整レバー１３０に設けられた嵌合突起１３３と、ハウジング１０３の一側面（裏面）に設けられたギザギザ形状の複数の嵌合凹部列１５０のいずれかの嵌合凹部との嵌合により、しっかりと固定されているので、勝手にカメラの視野角が変わってしまうといったような事態は生じない。
【００１４】
このカメラ付きドアホン子器１０１のカメラ１１５の視野角を、調整する場合、レンズ角度調整レバー１３０の操作レバー片１３１をスライドさせると、調整レバー本体部１３５に斜め方向に設けられた長孔１３２内に嵌め合わされているレンズホルダー１２０の角度調整軸１２２が長孔１３２内を移動することで、操作レバー片１３１のスライド移動が、レンズホルダー１２０の回転軸１２１の回転運動に変換される。これにより、レンズ角度調整レバー１３０の操作レバー１３１を手指でもって、スライド移動させることで、カメラ１１５の視野角を調整することができる。
【００１５】
【発明が解決しようとする課題】
しかし、上記従来の従来のカメラ付きドアホン子器１０１は、図１３に概略図を示すように、レンズ角度調整レバー１３０の操作レバー片１３１を手指でもってスライド移動させる際に、嵌合突起１３３と嵌合凹部列１５０との引っ掛かり等から、レンズ角度調整レバー１３０の操作感触は固く、操作性が悪いものであった。
【００１６】
本発明は、上記事由に鑑みてなされたものであり、その目的は、操作感触を向上させたカメラ付きドアホン及びカメラ付きインターホンシステムのカメラ視野角調整構造を提供することにある。
【００１７】
【課題を解決するための手段】
請求項１の発明は、カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ハウジングに形成されたガイド孔と、
前記角度調整軸が嵌入するガイド溝が形成され、前記ガイド溝に前記角度調整軸が嵌入した状態で前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えることを特徴とする。
【００１８】
請求項２の発明は、カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ホルダーの回動軸に対して略垂直方向を長手方向として前記ハウジングに形成されたガイド孔と、
前記ガイド孔の長手方向に対して斜設したガイド溝が形成され、前記ガイド溝に前記角度調整軸が嵌入した状態で前記ガイド孔に挿通して前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えることを特徴とする。
【００１９】
【発明の実施の形態】
以下、本発明の実施の形態を図面に基づいて説明する。
【００２０】
図１は本実施形態のカメラ付きドアホン子器１の左から見た側面断面図、図２は右から見た側面断面図、図３は表面図、図４は端面図、図５は分解斜視図である。カメラ付きドアホン子器１は、カメラ付きドアホン子器１を動作させる電装品が収容されたハウジング３と、ハウジング３の表面に取り付けられた化粧プレート２とを備えており、ハウジング３は、ハウジングカバー３ａとハウジングボディ３ｂとを組み合わせて、ハウジングボディ３ｂの四隅に設けた開口６０を挿通したねじ（図示無し）をハウジングカバー３ａ裏面のねじ孔（図示無し）に螺嵌させることで固定する構造になっている。また、化粧プレート２は、内面上端の突起（図示無し）をハウジングカバー３ａ上部の係止部６１に係止させてから、化粧プレート２下端の切り欠き部６２を挿通したねじ６３をハウジングカバー３ａ下端に設けたねじ穴（図示無し）に螺嵌させることで、ハウジングカバー３ａに固定される。さらに、ハウジングカバー３ａの四隅には長孔６４が穿設されており、各長孔６４にビス等を挿通させることで壁面等に固定することができる。
【００２１】
化粧カバー２は、上部にカメラ窓７、略中央に音孔９、下部にボタン孔１１及びマイク孔１２を形成して、ハウジングカバー３ａの表面側に取り付けられる。
【００２２】
ハウジングカバー３ａは、化粧カバー２の音孔９に対向して格子状の音孔１０が形成され、ボタン孔１１，カメラ窓７に対向して開口部１３，１４が形成されており、回路基板１７ｂ上に固定された呼出ボタン４は開口部１３とボタン孔１１を介して表面に臨む状態に裏面から取り付けられ、音孔１０の裏面にはスピーカ６が取り付けられており、化粧カバー２のマイク孔１２に対向してマイク５が裏面に取り付けられている。開口部１４には、カメラ１５とカメラ１５を駆動する電装品が実装された回路基板１６とを固定したホルダー２０が裏面側に取り付けられて、カメラ１５を保護する透明のカメラカバー８が表側から覆設されており、カメラ１５はカメラカバー８を介して外部の映像を取り入れている。そして、ホルダー２０の角度を調整するレンズ角度調整レバー３０が、ハウジングカバー３ａの側面に上下方向に形成した矩形のガイド孔４０に挿通して設けられている。さらに、回路基板１７ｃ，１７ｄも裏面に取り付けられている。
【００２３】
ハウジングボディ３ｂは、表面を開口した函状であり、内底面には回路基板１７ａ，１７ｅが備えられている。
【００２４】
この本実施形態のカメラ付きドアホン子器１は、レンズ角度調整レバー３０をガイド孔４０に沿ってスライドさせることで、カメラ１５の視野角を上下に調整することができるもので、以下、本実施形態のカメラ付きドアホン子器のカメラ視野角調整構造について説明する。
【００２５】
まず、レンズ角度調整レバー３０は例えば樹脂からなり、調整レバー本体部３５と、調整レバー本体部３５の一側面に立設した操作レバー片３１と、調整レバー本体部３５の側面に穿設したガイド用の長孔３２（ガイド溝（ガイド用の長溝）でもよい）と、調整レバー本体部３５の一端部に樹脂で一体成形された成形バネ３３と、調整レバー本体部３５の他端部を端面に沿って切り欠いた切り欠き部３４とを備える。そして、操作レバー片３１はガイド孔４０を裏面から表面に向かって挿通しており（図６参照）、調整レバー本体部３５の両端部はハウジングカバー３ａとハウジングボディ３ｂとの間に遊嵌している。そして、ハウジングボディ３ｂの内側面には、切り欠き部３４が嵌合する嵌合部をガイド孔４０の長径方向に沿って（すなわちレンズ角度調整レバー３０の変位方向に沿って）形成したスライド部４５を備えており、レンズ角度調整レバー３０をスライド部４５に沿ってスライドさせることができる。
【００２６】
また、レンズ角度調整レバー３０の一端部に一体成形された成形バネ３３は、レンズ角度調整レバー３０の端面上に撓ませたバネ片を２つ連続させたものであり、略中央に調整レバー本体部３５から突出した突起３３ａを形成している。そして、ハウジングカバー３ａの裏面には、レンズ角度調整レバー３０の変位方向に沿って凹部と凸部とを交互に連続させた凹凸部５０が形成されており、ハウジングカバー３ａをハウジングボディ３ｂの開口に覆設させると、レンズ角度調整レバー３０はその調整レバー本体部３５の両端部が、スライド部４５と凹凸部５０との間に挟まれた状態になる。この凹凸部５０には成形バネ３３の突起３３ａがその弾力性によって圧接摺動しており、したがって、通常、突起３３は凹凸部５０のいずれかの凹部に嵌合して、しっかりと固定されているので、カメラ１５の視野角が勝手に変わってしまうという事態は生じない。さらに、カメラ１５の視野角を調整するために操作レバー片３１を手指でもってスライド移動させると、成形バネ３３の突起３３ａが凹凸部５０上を圧接摺動して移動し、操作レバー片３１のスライドを停止させたところで突起３３は凹凸部５０のいずれかの凹部に嵌合する（図８参照）。このレンズ角度調整レバー３０のスライド時の操作感は、成形バネ３３の弾力性によって柔らかいものになり、且つ明確な操作感も併せ持ったものになる。
【００２７】
次に、レンズ角度調整レバー３０をスライドさせる変位運動を、カメラ１５を固定したホルダー２０の回転運動に変換して、カメラ１５の視野角を調整する構造について説明する。
【００２８】
まず、ホルダー２０の両側部には回転軸２１が各々突設されており、回転軸２１がハウジングカバー３ａの裏面両側部に設けた回転軸孔（図示無し）に係合することで、ホルダー２０はハウジングカバー３ａに回動自在に枢支される。さらに、一方の側部には回転軸２１（すなわちホルダー２０の回動軸）に対して同方向、且つ回転軸２１から偏倚して、角度調整軸２２を突設している。そして、調整レバー本体部３５の側面に穿設したガイド用の長孔３２は、ガイド孔４０の長手方向（すなわちレンズ角度調整レバー３０の変位方向）に対して斜設されており、長孔３２にはホルダー２０の角度調整軸２２が嵌入している（図７参照）。
【００２９】
上記構成でレンズ角度調整レバー３０の操作レバー片３１をスライドさせると、調整レバー本体部３５に斜設された長孔３２に嵌入しているレンズホルダー２０の角度調整軸２２が長孔３２内を移動することで、操作レバー片３１のスライド移動が、レンズホルダー２０の回転軸２１の回転運動に変換される。これにより、レンズ角度調整レバー３０の操作レバー３１を手指でもって、スライド移動させることで、カメラ１５の視野角を調整することができる。本実施形態では、操作レバー３１を上方向にスライドさせるとカメラ１５の視野角を上方向に調整でき、操作レバー３１を下方向にスライドさせるとカメラ１５の視野角を下方向に調整できる。
【００３０】
【発明の効果】
請求項１の発明は、カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ハウジングに形成されたガイド孔と、
前記角度調整軸が嵌入するガイド溝が形成され、前記ガイド溝に前記角度調整軸が嵌入した状態で前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えるので、角度調整レバーを動かしたときの操作感は、バネによる弾力性によって柔らかくなり、且つ明確な操作感も併せ持つという効果がある。
【００３１】
請求項２の発明は、カメラを収納したホルダーと、
前記ホルダーが回動自在に枢支されるハウジングと、
前記ホルダーの回動軸に対して同方向且つ偏倚して前記ホルダーの側方に突設された角度調整軸と、
前記ホルダーの回動軸に対して略垂直方向を長手方向として前記ハウジングに形成されたガイド孔と、
前記ガイド孔の長手方向に対して斜設したガイド溝が形成され、前記ガイド溝に前記角度調整軸が嵌入した状態で前記ガイド孔に挿通して前記ガイド孔に沿って変位する角度調整レバーと、
前記角度調整レバーの変位方向に沿って凹部と凸部とを交互に連続して前記ハウジングに形成された凹凸部と、
前記角度調整レバーに成形されて前記凹凸部に圧接摺動するバネとを備えるので、請求項１の効果に付加して、角度調整レバーの変位運動をホルダーの回転運動に変換することができ、カメラの視野角を簡単な構成で調整することができるという効果がある。
【図面の簡単な説明】
【図１】本発明の実施形態のカメラ付きドアホン子器を左から見た側面断面図である。
【図２】同上の右から見た側面断面図である。
【図３】同上の表面図である。
【図４】同上の下面図である。
【図５】同上の分解斜視図である。
【図６】同上の操作レバー片周辺の拡大図である。
【図７】同上のホルダーとレンズ角度調整レバーとの取り付けを示す分解斜視図である。
【図８】同上のレンズ角度調整レバーと凹凸部との摺動状態を示す概略図である。
【図９】（ａ）従来のカメラ付きドアホン子器の外観を示す斜視図（化粧パネルは省略）である。
（ｂ）上記（ａ）図のＢ部の拡大図である。
【図１０】同上の分解斜視図である。
【図１１】同上のカメラのレンズ角度調整の要部構成を概略的に示す分解斜視図である。
【図１２】同上のレンズ角度調整レバーとカメラカバーとの嵌合状態を示す概略図である。
【図１３】同上のレンズ角度調整レバーと嵌合凹部列との摺動状態を示す概略図である。
【符号の説明】
１　カメラ付きドアホン子器
２　化粧パネル
３　ハウジング
３ａ　ハウジングカバー
３ｂ　ハウジングボディ
１５　カメラ
２０　ホルダー
２１　回転軸
２２　角度調整軸
３０　角度調整レバー
３２　長孔
３３　成形バネ
４０　ガイド孔
５０　凹凸部
【図１】
2004056526.tif 000003
【図２】
2004056526.tif 000004
【図３】
2004056526.tif 000005
【図４】
2004056526.tif 000006
【図５】
2004056526.tif 000007
【図６】
2004056526.tif 000008
【図７】
2004056526.tif 000009
【図８】
2004056526.tif 000010
【図９】
2004056526.tif 000011
【図１０】
2004056526.tif 000012
【図１１】
2004056526.tif 000013
【図１２】
2004056526.tif 000014
【図１３】
2004056526.tif 000015